(57)【要約】【課題】  情報を出力するか否かその場で選択できる非接触記憶媒体読取装置を提案し、利用者の利便性を向上する。【解決手段】  非接触記憶媒体から非接触にて情報を読み取る読み取り手段と、読み取った情報に基づく出力用情報を出力する出力手段と、これらを制御する制御手段とを備えた非接触記憶媒体読取装置に、利用者が前記非接触記憶媒体をかざす前記読み取り手段の読み取り部位に、利用者による入力を許容する入力手段を備え、前記制御手段を、前記読み取り手段による非接触記憶媒体からの情報の読み取りに関連して前記入力手段に入力されたか否かを判定し、この判定に基づいて前記出力手段により前記出力用情報を出力する構成とした。【選択図】    図３
2006227693.tif 000002
【特許請求の範囲】
【請求項１】
非接触記憶媒体から非接触にて情報を読み取る読み取り手段と、読み取った情報に基づく出力用情報を出力する出力手段と、これらを制御する制御手段とを備えた非接触記憶媒体読取装置であって、
利用者が前記非接触記憶媒体をかざす前記読み取り手段の読み取り部位に、利用者による入力を許容する入力手段を備え、
前記制御手段を、前記読み取り手段による非接触記憶媒体からの情報の読み取りに関連して前記入力手段に入力されたか否かを判定し、この判定に基づいて前記出力手段により前記出力用情報を出力する構成とした
非接触記憶媒体読取装置。
【請求項２】
前記読み取り部位を押下可能に形成し、
前記入力手段を、上記読み取り部位と、該読み取り部位が押下されたことを検出する押下検出センサとにより構成した
請求項１記載の非接触記憶媒体読取装置。
【請求項３】
前記入力手段を、利用者の押下を許容する押下ボタンと該押下ボタンの押下を検出する押下検出センサとにより構成し、
上記押下ボタンを、前記読み取り部位の端部近傍に備えた
請求項１記載の非接触記憶媒体読取装置。
【請求項４】
請求項１、２または３記載の非接触記憶媒体読取装置を備え、
前記制御手段により、前記読み取り手段で読み取った非接触記憶媒体の情報に基づいて通過可否を判定する構成とした
ゲート装置。
【請求項５】
請求項１、２または３記載の非接触記憶媒体読取装置と、
前記出力用情報を受信し予め登録された送信先に予め登録された情報を送信する管理装置とを通信可能に接続した
情報送信システム。
【発明の詳細な説明】
【技術分野】
【０００１】
この発明は、例えば非接触記憶媒体から情報を読み取り、読み取った情報に基づいて情報を出力するような非接触記憶媒体読取装置、ゲート装置、及び情報送信システムに関する。
【背景技術】
【０００２】
従来、利用者の携帯性に優れたカード型等の記憶媒体が提供されており、ＰＯＳシステムやゲート装置等、様々なシステムにて利用されている。  
最近では、この記憶媒体に記憶されている情報を他の用途にも使用するべく、読み取った情報に基づいてメール配信を行うメール配信システムが提案されている（特許文献１参照）。
【０００３】
このメール配信システムは、記憶媒体である定期券から読み出されたＩＤ情報と、このＩＤ情報に応じた設定情報をデータベースから検出することで、メール情報を作成し、送信先へ送信する。メール送信を行うタイミングや通知先等の設定情報は、ＷｅｂなどによりＩＤ情報と共に予め登録される。登録可能な設定情報としては、例えば、「通知先」「サービス停止日」「サービス特定駅」などが記載されている。
【０００４】
しかし、このメール配信システムでは、Ｗｅｂなどで登録した設定情報に基づいてメール送信するため、改札機を通過する時点で、メール送信する／しないをフレキシブルに選択することはできなかった。このため、改札通過を知らせたくない場合でも指定した送信先にメールが送信されてしまうこととなって不便であった。
【０００５】
具体的には、例えば帰りの降車駅の改札を通過した際に、帰宅が近いことを知らせるメールを家族に送信するよう設定したような場合、降車してから帰るまでに用事を済ませる必要があることを乗車中に思い出しても、メール送信しないようにその場では変更できなかった。このため、逆にまだ帰宅しない旨を連絡しなければならなくなり、かえって不便が生じることがあった。
【０００６】
【特許文献１】特開２００４−５３８８号公報
【発明の開示】
【発明が解決しようとする課題】
【０００７】
この発明は、上述した問題に鑑み、情報を出力するか否かその場で選択できる非接触記憶媒体読取装置、ゲート装置、及び情報送信システムを提案し、利用者の利便性を向上することを目的とする。
【課題を解決するための手段】
【０００８】
この発明は、非接触記憶媒体から非接触にて情報を読み取る読み取り手段と、読み取った情報に基づく出力用情報を出力する出力手段と、これらを制御する制御手段とを備えた非接触記憶媒体読取装置であって、利用者が前記非接触記憶媒体をかざす前記読み取り手段の読み取り部位に、利用者による入力を許容する入力手段を備え、前記制御手段を、前記読み取り手段による非接触記憶媒体からの情報の読み取りに関連して前記入力手段に入力されたか否かを判定し、この判定に基づいて前記出力手段により前記出力用情報を出力する構成としたことを特徴とする。
【０００９】
前記出力用情報は、次の（１）〜（３）に説明するような情報で構成することができる。  
（１）非接触記憶媒体に記憶されている全てあるいは一部の情報、例えば、利用者あるいは非接触記憶媒体を識別する識別情報等とすることができる。  
（２）非接触記憶媒体から読み取った情報に基づいて、非接触記憶媒体読取装置に備えられた記憶手段に記憶されている情報から抽出した情報、例えば、情報の送信先および送信する情報内容等とすることができる。  
（３）入力手段により入力されたか否かに関する情報、例えば入力有無の情報あるいは送信可否の情報が、上述した（１），（２）の情報に付加された情報とすることができる。
【００１０】
前記入力手段は、押下ボタンによるスイッチセンサ、物品の接触を検出するタッチセンサ、物品の存在を検出する光センサ等、適宜の入力手段で構成することができる。  
前記出力手段は、情報の送信を行う送信手段、情報の表示を行う表示手段、または音声によるアナウンスを行う音声発音手段で構成することができる。
【００１１】
前記構成により、利用者は、非接触記憶媒体をかざすことで、読み取り手段に情報を読み取らせるだけでなく、この読み取りと同時に若しくはほぼ同時に、読み取り部位に備えた入力手段に入力するあるいは入力しないことで、情報を出力するか否かその場で選択できる。
【００１２】
この発明の態様として、前記読み取り部位を押下可能に形成し、前記入力手段を、上記読み取り部位と、該読み取り部位が押下されたことを検出する押下検出センサとにより構成することができる。
【００１３】
前記押下検出センサは、押下によりスイッチがＯＮ／ＯＦＦされるスイッチセンサ、押下された読み取り部位と接触したことを検出するタッチセンサ、押下された読み取り部位の遮光を検出する光センサ等、適宜のセンサで構成することができる。
【００１４】
前記構成により、利用者は、非接触記憶媒体を読み取り部位にかざす際に、かざすだけとするか、さらに押し込むかにより、情報を出力するか否か容易に選択することができる。
【００１５】
またこの発明の態様として、前記入力手段を、利用者の押下を許容する押下ボタンと該押下ボタンの押下を検出する押下検出センサとにより構成し、上記押下ボタンを、前記読み取り部位の端部近傍に備えることができる。  
前記構成により、利用者は非接触記憶媒体を読み取り部位にかざす際に、入力手段を避けて読み取らせるか、入力手段に入力しつつ読み取らせることが選択でき、情報を出力するか否か容易に選択することができる。
【００１６】
またこの発明は、前記非接触記憶媒体読取装置を備え、前記制御手段により、前記読み取り手段で読み取った非接触記憶媒体の情報に基づいて通過可否を判定する構成としたゲート装置とすることがでる。  
これにより、読み取った非接触記憶媒体の情報に基づいて通過可否判定するような、短時間で多人数を処理することが必要なゲート装置においても、利用者が情報を出力するか否かを簡単な操作で短時間に選択することができる。
【００１７】
またこの発明は、前記非接触記憶媒体読取装置と、前記出力用情報を受信し予め登録された送信先に予め登録された情報を送信する管理装置とを通信可能に接続した情報送信システムとすることができる。  
これにより、管理装置から情報を送信することができ、非接触記憶媒体読取装置の負荷を軽減できると共に、情報の送信先と送信する情報を管理装置にて一元管理することができる。
【発明の効果】
【００１８】
この発明により、利用者は、非接触記憶媒体をかざすことで、読み取り手段に情報を読み取らせるだけでなく、この読み取りと同時に若しくはほぼ同時に、読み取り部位に備えた入力手段により情報を出力するか否かその場で選択することができ、利用者の利便性が向上する。
【発明を実施するための最良の形態】
【００１９】
この発明の一実施形態を以下図面と共に説明する。  
まず、図１に示す斜視図と共に、電車の駅構内への出入口に設置する自動改札機１の外観構成について説明する。
【００２０】
自動改札機１は、２つの改札機本体１０（１０ａ，１０ｂ）を左右に対向させて設け、この対設部間で改札通路３を構成している。ここで、右側の改札機本体１０ｂは正面を手前に向け、左側の改札機本体１０ａは背面を手前に向けて構成し、前後両方向の通過について通過可と通過拒否の規制を行う。
【００２１】
改札機本体１０は、改札通路３側の内側筐体１２と、該内側筐体１２の外側に接続した内側筐体１２より少し高く幅が狭い外側筐体１１（バーと呼ばれる部分）とで構成しており、全体を大人の普通人の腹部程度の高さに形成している。
【００２２】
内側筐体１２の上面の入口側（図示手前側）には、媒体４０から情報を読み取るカード読取部の読み取りカバー１７を備えている。この読み取りカバー１７は、利用者が媒体４０をかざしやすいように、奥側を少し上げて傾斜させている。また読み取りカバー１７は、後述するように押下可能に構成している。媒体４０は、非接触で通信可能な媒体であり、例えばＩＣとアンテナとを有して誘導電磁界により通信を行う非接触ＩＣカードである。
【００２３】
読み取りカバー１７は、外側筐体１１と隣接する位置に備えており、読み取りカバー１７の高さより、読み取りカバー１７との隣接部分の外側筐体１１の高さが高くなるように構成している。  
これにより、改札通路３を通過する利用者に対して、隣の改札通路３用の読み取りカバー１７を押下しようとすると、該読み取りカバー１７に利用者側で隣接している外側筐体１１が防護壁となって、容易には押下できないようにしている。
【００２４】
内側筐体１２の上面の出口側（図示奥側）には、通過可否等の表示を行なう表示部の表示面１５を備えている。この表示面１５は、通過する利用者が見やすいように、奥側を少し上げて傾斜させている。
【００２５】
内側筐体１２の改札通路３側の側面には、入口側と出口側にそれぞれ扉２５を備えている。この扉２５は、適宜の駆動手段によって開閉動作し、通過可の場合は開動作、通過不可の場合は閉動作を行うように構成している。
【００２６】
以上の構成により、利用者によって媒体４０が読み取りカバー１７にかざされると、媒体４０に記憶されている乗車関連情報から通過可否を判定し、扉２５による通行規制を行うことができる。利用者は、読み取りカバー１７に媒体４０をかざす際に、読み取りカバー１７を押下するか否か選択することができる。
【００２７】
次に、図２に示すブロック図と共に、自動改札機１を備えた情報送信システム５の構成について説明する。  
情報送信システム５は、自動改札機１と、自動改札機１に接続された電鉄サーバ５３と、通信網５２と、携帯電話５１とにより構成している。電鉄サーバ５３と携帯電話５１は、いずれも通信網５２に通信可能に接続している。
【００２８】
自動改札機１は、制御部２０に接続して、カード読取部２１、スイッチ部２２、表示部２３、扉制御部２４、扉２５、報知部２６、スピーカ２７、ランプ２８、判定部３０、記憶部３１、及び上位伝送部３２を備えている。
【００２９】
制御部２０は、ＣＰＵ、ＲＯＭ、及びＲＡＭで構成しており、ＲＯＭに格納したプログラムに従って、接続されている各種装置を駆動制御する。  
プログラムに従って行う制御動作として、スイッチ部２２がＯＮとなった際に電鉄サーバ５３へメール送信依頼情報を送信する処理も実行する。
【００３０】
カード読取部２１は、制御部２０の制御信号に従って、誘導電磁界によって媒体４０の記憶部に記憶されている情報を非接触で読み取る。  
スイッチ部２２は、利用者の操作によってスイッチがＯＮとなった場合に、入力信号を制御部２０に送信する。  
表示部２３は、液晶表示装置で構成しており、制御部２０の制御信号に従って文字や図形を表示する。この表示として、通過可否の表示、及びメールを送信したか否かの表示も行う。
【００３１】
扉制御部２４は、制御部２０の制御信号に従って、モータ等の駆動手段によって扉２５を開閉駆動する。  
報知部２６は、制御部２０の制御信号に従って、スピーカ２７による音声報知あるいはアラーム音発音、ランプ２８の点灯あるいは点滅を行う。
【００３２】
判定部３０は、媒体４０のカード情報に基づいて、通過可否の判定を行う。  
記憶部３１は、必要な情報（データ）やプログラムを可能しており、制御部２０の制御信号に従って、情報やプログラムの読書きを実行する。
【００３３】
上位伝送部３２は、制御部２０の制御に従って、電鉄サーバ５３と通信し、メールの送信依頼等の情報送信を行う。
【００３４】
電鉄サーバ５３は、制御部、記憶部、入力部、表示部、通信部を有するコンピュータであり、通信網５２に接続している。通信網５２を介して、上位伝送部３２との情報送受信と、携帯電話５１へのメール送信を行うことができる。  
また、電鉄サーバ５３は、ＷＥＢサーバとしても機能し、この機能により提供するホームページで、メール送信する情報の内容等を利用者が予め登録できる。
【００３５】
携帯電話５１は、制御部、記憶部、無線通信部、操作入力部、表示部、音声入力部、及び音声出力部を有しており、無線通話、及び無線情報通信を行うことができる。従って、電鉄サーバ５３から無線で受信したメールを表示部に表示することができる。
【００３６】
以上の構成により、カード読取部２１が媒体４０から情報を読み取ることができ、スイッチ部２２が利用者の入力を受け付けることができる。
【００３７】
次に、図３（Ａ），（Ｂ）に示す拡大縦断側面図と共に、カード読取部２１の読み取り部位の近傍の構成について説明する。  
改札機本体１０の内側筐体１２の天板６１には、改札通路３の入り口側である図示右側に穴６５を形成しており、この穴６５に嵌め込むように読み取りカバー１７を備えている。
【００３８】
読み取りカバー１７は、磁束が通過する材質、例えばプラスチックにより、平面視長方形で側面視ヘの字型に形成し、改札通路３の入り口側（図示右側）の端部を枢軸７５により枢支している。読み取りカバー１７の上面は、改札通路３の通過方向（図示右から左）へ向けて高くなる傾斜面により構成している。読み取りカバー１７の改札通路３の出口側の端部には、天板６１に当接して係止される係止突起６２を設けている。
【００３９】
読み取りカバー１７の裏面（内側）には、前述したカード読取部２１（図２）のアンテナ６４を備えている。このアンテナ６４は、上方に通信可能領域を有しており、読み取りカバー１７の上面にかざされた媒体４０と無線通信することができる。
【００４０】
内側筐体１２には、読み取りカバー１７の下方位置に、側面視Ｌ字型の支持板７１を設けている。支持板７１の上面には、弾性体であるバネ７２と、スイッチセンサ７４とを備えている。
【００４１】
バネ７２は、読み取りカバー１７を上方へ向けて付勢している。スイッチセンサ７４は、前述したスイッチ部２２に設けられており、アーム７３が押下されたときにスイッチがＯＮになったと検出する。
【００４２】
以上の構成により、利用者は、図３（Ａ）に示すように読み取りカバー１７に媒体４０をかざして通過する、あるいは、図３（Ｂ）に示すように読み取りカバー１７を媒体４０で押下して通過することができる。自動改札機１は、いずれの場合でもカード読取部２１により媒体４０から情報を読み取ることができ、読み取りカバー１７の押下の有無を検出することができる。
【００４３】
次に、電鉄サーバ５３の記憶部に記憶されるサーバ管理情報８１について説明する。  
図４（Ａ）は、サーバ管理情報８１の構成を示す。
【００４４】
サーバ管理情報８１は、媒体Ｎｏ．、定期券区間、有効期間、氏名、連絡先、選択サービス、及び通知メールアドレスの各項目（フィールド）によって構成している。
【００４５】
媒体Ｎｏ．には、媒体４０の識別番号であるユニークな番号を記憶する。  
定期券区間には、媒体４０が定期券であった場合に、乗車可能な区間を記憶する。  
有効期間には、媒体４０を使用可能な期間を記憶する。  
氏名には、媒体４０を保有している利用者の氏名を記憶する。  
連絡先には、利用者の連絡先の電話番号を記憶する。  
選択サービスには、利用者によって予め選択されたサービスを記憶する。なお、サービスには、例えば帰宅を知らせる帰宅メールや、子供の移動を知らせる子供移動通知がある。  
通知メールアドレスには、利用者によって予め登録されたメールの送信先のアドレスを記憶する。
【００４６】
図４（Ｂ）は、媒体４０に記憶される媒体記憶情報８２の構成を示す。  
媒体記憶情報８２は、媒体Ｎｏ．、定期券区間、有効期間、氏名、及び連絡先の各項目（フィールド）によって構成している。  
各項目に記憶する情報は、サーバ管理情報８１の同一項目と同一であるので、その詳細な説明を省略する。
【００４７】
以上の構成により、自動改札機１は、媒体４０から媒体記憶情報８２を読み取り、媒体Ｎｏ．等を取得することができる。  
また、電鉄サーバ５３は、自動改札機１から受信した媒体Ｎｏ．等に基づいて、サーバ管理情報８１からメールの送信先及び送信内容を取得することができる。
【００４８】
次に、図５に示すフローチャートと共に、自動改札機１の制御部２０が実行する動作について説明する。  
制御部２０は、カード読取部２１にて媒体４０の存在が検出できるまで待機する（ステップｎ１）。
【００４９】
媒体４０の存在、すなわちカード読取部２１のアンテナ６４（図３）の通信領域内に媒体４０が存在することを検出すると（ステップｎ１：Ｙｅｓ）、制御部２０は、カード読取部２１により媒体４０から媒体記憶情報８２を読み取る（ステップｎ２）。
【００５０】
制御部２０は、このときスイッチ部２２に入力があったか否かも取得する（ステップｎ３）。すなわち、利用者によって読み取りカバー１７（図３）が押下されると、スイッチ部２２のスイッチセンサ７４（図３）によってこれを検出し、この検出信号を制御部２０が受信して入力有りを取得する。  
このステップｎ３は、通信範囲内に媒体４０が存在するとカード読取部２１が検出している間だけ実行する構成にするとよい。
【００５１】
前記ステップｎ２で読み取った媒体記憶情報８２に基づいて、通過可否を判定する（ステップｎ４）。この判定では、読み取った定期券区間内に自動改札機１のある駅が存在しており、かつ有効期間内に当日が含まれる場合に、通過可と判定する。
【００５２】
通過可と判定した場合は（ステップｎ４：Ｙｅｓ）、スイッチ部２２に入力があったか否かを判定する（ステップｎ５）。  
スイッチ部２２に入力があった場合は、制御部２０は、上位伝送部３２により上位装置である電鉄サーバ５３へ情報を送信する（ステップｎ６）。ここで送信する情報は、少なくとも媒体４０から読み取った媒体記憶情報８２の媒体Ｎｏ．と読み取った駅名（駅識別情報）と送信時刻（あるいは読み取り時刻）とを含む情報であり、電鉄サーバ５３にメール送信を依頼するメール送信依頼情報である。
【００５３】
またこのステップｎ６では、制御部２０は、情報送信したことを、通過可の情報（例えば「お通り下さい」など）と共に表示部２３に表示する。なお、情報送信したことのみを表示する、あるいは通過可の情報のみを表示する構成としても良い。
【００５４】
情報送信後、あるいは前記ステップｎ５にて入力なしと判定した場合に（ステップｎ５：Ｎｏ）、制御部２５は、扉制御部２４により扉２５を開け、通過を許可する（ステップｎ７）。
【００５５】
前記ステップｎ４で通過不可と判定した場合は（ステップｎ４：Ｎｏ）、制御部２５は、扉制御部２４により扉２５を閉じ、通過を拒否すると共に、報知部２６により通過不可である旨の報知を行う（ステップｎ８）。
【００５６】
以上の動作により、制御部２０は、読み取った媒体記憶情報８２に基づいて利用者の通過可否を判定することができる。通過可と判定した場合には、スイッチ部２２への入力の有無によって情報送信を行うか否か判定でき、入力有りの場合に電鉄サーバ５３へ情報を送信することができる。
【００５７】
次に、図６に示すフローチャートと共に、電鉄サーバ５３の制御部が実行する動作について説明する。  
制御部は、自動改札機１から情報を受信するまで待機する（ステップｓ１）。
【００５８】
自動改札機１から情報、すなわちメール送信依頼情報を受信すると（ステップｓ１：Ｙｅｓ）、制御部は、媒体情報（少なくとも媒体Ｎｏ．）と駅名と時刻とを確認する（ステップｓ２）。
【００５９】
制御部は、サーバ管理情報８１を参照し、媒体Ｎｏ．が一致する情報（レコード）の選択サービスと通知メールアドレスを抽出する（ステップｓ３）。詳述すると、例えば図４（Ｂ）に示す媒体記憶情報８２の媒体Ｎｏ．「１００００１」を受信し、この媒体Ｎｏ．に基づいてサーバ管理情報８１の媒体Ｎｏ．「１００００１」の情報を参照し、選択サービス「帰宅メール」、通知メールアドレス「×××＠ａｂｃ．ｎｅ．ｊｐ」を抽出する。
【００６０】
制御部は、抽出した選択サービスに対応するメール文言を作成する（ステップｓ４）。このメール文言の作成について説明すると、選択サービスに対応した変数付きの構文が電鉄サーバ５３の記憶部に記憶されており、この構文に変数を当てはめて作成する。変数としては、例えば駅名と時刻が設定されている。
【００６１】
一例として帰宅メールの場合で具体的に説明すると、「変数［時刻］＋“ただいま”＋変数［駅名］＋“に入場しました。もうすぐ帰宅します。”」という構文に変数を当てはめ、「2005.01.01（火）20:54  Ａ駅に入場しました。もうすぐ帰宅します。」というメール文言を作成する。
【００６２】
制御部は、作成したメール文言を、抽出した通知メールアドレスへ送信し（ステップｓ５）、処理を終了する。
【００６３】
以上の動作により、電鉄サーバ５３は、自動改札機１から受信したメール送信依頼情報に基づいてメールの送信を行うことができる。メール送信依頼情報に含まれている時刻や場所の情報を反映させてメール文言が作成できるため、タイムリーな情報をメール送信することができる。
【００６４】
メール受信側の情報端末、例えば携帯電話５１では、図７（Ａ）の拡大正面図に示すように、受信したメールを表示部５８で確認することができる。従って、メール送信者に関するタイムリーな情報を取得することができる。
【００６５】
利用者が予め選択サービスを選択しておくことで、図７（Ｂ）の拡大正面図に示すように、他の種類の情報の送信（図示の例では子供移動通知）を行うことができる。
【００６６】
以上に説明したように、利用者は、自動改札機１を通過するタイミングでメール送信する内容を予め電鉄サーバ５３に登録しておくことができ、実際に送信するか否かを自動改札機１の通過時に容易に選択することができる。
【００６７】
メール送信するか否かの選択は、読み取りカバー１７に媒体４０をかざすという改札通過時の必須の動作の際に、さらに読み取りカバー１７を押し込むか否かという一瞬の簡単な動作で行うことができる。
【００６８】
この選択動作は、媒体４０を読み取りカバー１７にかざして離す１連の動作内に行うことができるため、利用者にとっては非常に選択しやすく、また改札通過の混雑につながることがない。
【００６９】
また、読み取りカバー１７は、入り口側の端部を枢軸７５により枢支して、出口側の傾斜頂点が上下に回動するため、改札通路３を通過する利用者は違和感なく読み取りカバー１７を押下することができる。すなわち、利用者が改札通路３を通過しながら読み取りカバー１７を下方へ押下すると、進行方向へ向かって斜め下方へ押下することとなり、読み取りカバー１７は図３（Ｂ）に矢印で示したように利用者の押下方向に沿って斜め下方へ回動する。このため、利用者の押下方向と読み取りカバー１７の回動方向が一致して、利用者は違和感なく読み取りカバー１７を押下することができる。
【００７０】
なお、読み取りカバー１７は回動せずに固定させ、図８（Ａ）の平面図に示すように、別途押下ボタン６８を備える構成としても良い。  
この場合、押下ボタン６８は、読み取りカバー１７の上面のうち、通過方向の出口側に設けることが好ましい。そして、読み取りカバー１７の上面には、押下ボタン６８の入り口側に媒体４０の平面面積以上の面積を確保することが好ましい。
【００７１】
スイッチ部２２（図２）のスイッチセンサ７４（図３）は、内側筐体１２の内部で押下ボタン６８の下方位置に設けると良い。
【００７２】
この場合でも、利用者はメール送信をするか否か容易に選択することができる。すなわち、メール送信を行わない場合は、図８（Ｂ）の平面図に示すように押下ボタン６８が無い位置で読み取りカバー１７に媒体４０をかざせばよい。これにより、押下ボタン６８は押下せずに媒体４０を読み取らせることができる。  
またメール送信を行う場合は、図８（Ｃ）の平面図に示すように媒体４０で押下ボタン６８を押下すれば良い。押下ボタン６８は、アンテナ６４の通信可能範囲内に設けているため、利用者が媒体４０で押下ボタン６８を押下すれば、自動改札機１は押下ボタン６８の押下確認と共に媒体４０からの情報読み取りも行うことができる。
【００７３】
なお、このように別途押下ボタン６８を設ける場合は、上述した位置だけでなく、範囲６９内の端部近傍に設けることができる。好ましくは、図８（Ｄ）の平面図に斜線により示すように、読み取りカバー１７の上面でアンテナ６４の通信範囲内であって、通過方向出口側部分、あるいは通路内側部分に設けることができる。  
押下ボタン６８を通路内側部分に設けた場合は、利用者は、内側筐体１２の上面より高く構成されている外側筐体１１が邪魔になることなく、押下ボタン６８を押下しつつ読み取りカバー１７に媒体４０をかざすこと、及び押下ボタン６８を押下せずに読み取りカバー１７に媒体４０をかざすことができる。  
このように、読み取りカバー１７の手前側及び外側を避けて押下ボタン６８を設けることで、利用者の操作感を良くすることができる。
【００７４】
また、ステップｎ６では情報送信を行う旨の情報もメール送信依頼情報に付加して送信する構成とし、さらにステップｎ５では情報送信を行わない旨の情報をメール送信依頼情報に付加して送信する構成としても良い。  
この場合でも、電鉄サーバ５３は、情報を送信する旨の情報または送信しない旨の情報を取得し、メールの送信を行うか否か判定することができ、この判定に従ってメールの送信を行うことができる。
【００７５】
また、自動改札機１に限らず、他のゲート装置やＰＯＳシステムに、上述した各構成要素を備えてもよい。これにより、利用者は、様々なシーンで媒体４０を使用する際に、予め設定した送信先へ予め設定したメールを送信するか否か選択することができる。従って、例えば商品を購入した際に、レジにて媒体４０を読み取らせ、このときにスイッチ部２２へ押下入力するか否かにより、購入商品名、購入金額、購入店舗、及び購入日時といった情報を、自宅のパーソナルコンピュータへメール送信するか否かを選択することができる。
【００７６】
この発明の構成と、上述の実施形態との対応において、
この発明の非接触記憶媒体読取装置およびゲート装置は、実施形態の自動改札機１に対応し、
以下同様に、
制御手段は、制御部２０に対応し、
読み取り手段は、カード読取部２１に対応し、
出力手段は、上位伝送部３２に対応し、
非接触記憶媒体は、媒体４０に対応し、
管理装置は、電鉄サーバ５３に対応し、
読み取り部位は、読み取りカバー１７に対応し、
入力手段は、読み取りカバー１７とスイッチセンサ７４、及び、押下ボタン６８とスイッチセンサ７４に対応し、
押下検出センサは、スイッチセンサ７４に対応し、
判定は、ステップｎ５に対応し、
出力用情報は、メール送信依頼情報に対応するも、
この発明は、上述の実施形態の構成のみに限定されるものではなく、多くの実施の形態を得ることができる。
【図面の簡単な説明】
【００７７】
【図１】自動改札機の外観構成を示す斜視図。
【図２】情報送信システムの構成を示すブロック図。
【図３】カード読取部の読み取り部位の近傍の構成を説明する説明図。
【図４】自動改札機及び電鉄サーバに記憶する情報の構成を説明する説明図。
【図５】自動改札機の動作を示すフローチャート。
【図６】電鉄サーバの動作を示すフローチャート。
【図７】携帯電話の表示部を説明する説明図。
【図８】他の実施例のカード読取部の読み取り部位を説明する説明図。
【符号の説明】
【００７８】
１…自動改札機
５…情報送信システム
１７…読み取りカバー
２０…制御部
２１…カード読取部
３２…上位伝送部
４０…媒体
５３…電鉄サーバ
６８…押下ボタン
７４…スイッチセンサ
【図１】
2006227693.tif 000003
【図２】
2006227693.tif 000004
【図３】
2006227693.tif 000005
【図４】
2006227693.tif 000006
【図５】
2006227693.tif 000007
【図６】
2006227693.tif 000008
【図７】
2006227693.tif 000009
【図８】
2006227693.tif 000010